(57)【要約】【解決手段】  元管路１内に、外径が当該元管路１の内径よりもやゝ小さく、その内部に複数の分割透孔５が形成され、且つ当該分割透孔５の周囲に小透孔６を有する分割管４を挿通した分割管路である。前記元管路１の内面が内張りされていることが好ましい。【効果】  本発明によれば、元管路を複数の大口径の分割管路に分割し、それらを元管路内に均等に配置することができると共に、その管路を分割する工事を、安価に施工することができる。【選択図】          図１
2005160174.tif 000002
【特許請求の範囲】
【請求項１】
元管路内に、外径が当該元管路の内径よりもやゝ小さく、その内部に複数の分割透孔が形成され、且つ当該分割透孔の周囲に小透孔を有する分割管を挿通してなることを特徴とする、分割管路
【請求項２】
前記元管路の内面が内張りされていることを特徴とする、請求項１に記載の分割管路
【請求項３】
元管路の内面に内張り材を貼着して内張りし、然る後、外径が前記元管路の内径よりもやゝ小さく、その内部に複数の分割透孔が形成され、且つ当該分割透孔の周囲に小透孔を有する分割管を挿通することを特徴とする、管路の分割方法
【請求項４】
外径が、分割されるべき元管路の内径よりもやゝ小さく、その内部に複数の分割透孔が形成され、且つ当該分割透孔の周囲に小透孔が形成されていることを特徴とする、管路分割用分割管
【発明の詳細な説明】
【技術分野】
【０００１】
本発明は、水道管、下水道管、ガス導管、電力線や通信線などの敷設管路などの、主として地中に埋設された既設の元管路に対し、当該元管路を小口径の複数の管路に分割する技術に関するものである。
【背景技術】
【０００２】
従来この種の元管路内の空間を複数に分割する技術としては、特開平８−６５８７０号公報に記載されたものが知られている。このものは、元管路の内面に気密層を形成し、その内部に複数の個別チューブを挿通し、前記気密層と個別チューブとの間の空所に反応硬化型樹脂液を注入して固めたものである。
【０００３】
しかしながらこの方法は、気密層と個別チューブとの間の大きな空所に反応硬化型樹脂液を注入するので、比較的高価な反応硬化型樹脂液を大量に必要とすることとなり、工法自体が高価なものとならざるを得ない。
【０００４】
また元管路内に複数の個別チューブを挿通するので、屈曲の多い管路では個別チューブ同士が干渉し合って挿通が困難であり、また干渉を和らげるためには個別チューブを十分に細いものとせざるを得ず、元管路を十分大きい口径を有する複数の管路に分割することが困難である。
【０００５】
さらに、注入した反応硬化型樹脂液を硬化させるためには、蒸気や温水などの加熱媒体を個別チューブ内に供給して加熱しなければならず、施工のために複雑な設備を必要とするという問題点があった。
【特許文献１】特開平８−６５８７０号公報
【発明の開示】
【発明が解決しようとする課題】
【０００６】
本発明はかかる事情に鑑みなされたものであって、安価に施工でき、且つ大口径の複数の管路に分割し、それらを元管路内に均等に配置することのできる管路の分割技術を提供することを目的とするものである。
【課題を解決するための手段】
【０００７】
而して本発明の分割管路は、元管路内に、外径が当該元管路の内径よりもやゝ小さく、その内部に複数の分割透孔が形成され、且つ当該分割透孔の周囲に小透孔を有する分割管を挿通してなることを特徴とするものである。この分割管路においては、前記元管路の内面が内張りされていることが好ましい。
【０００８】
また本願における発明の管路の分割方法の発明は、元管路の内面に内張り材を貼着して内張りし、然る後、外径が前記元管路の内径よりもやゝ小さく、その内部に複数の分割透孔が形成され、且つ当該分割透孔の周囲に小透孔を有する分割管を挿通することを特徴とするものである。
【０００９】
また本発明の管路分割用分割管は、外径が、分割されるべき元管路の内径よりもやゝ小さく、その内部に複数の分割透孔が形成され、且つ当該分割透孔の周囲に小透孔が形成されていることを特徴とするものである。
【発明の効果】
【００１０】
本発明によれば、元管路を複数の大口径の分割管路に分割し、それらを元管路内に容易に容易に均等に配置することができると共に、その管路を分割する工事を、安価に且つ簡便に施工することができる。
【発明を実施するための最良の形態】
【００１１】
以下、本発明の実施の形態を図面に従って説明する。図１は、本発明の分割管路を示すものである。１は既設の元管路であって、その管路本体２の内面には既知の方法により内張り材３が貼着されて内張りされている。
【００１２】
そしてその元管路１内には、分割管４が挿通されている。その分割管４は、外径が前記元管路１の内径よりやゝ小さい円筒形であって、その内部にはその長さ方向に、複数（図面においては３つ）の分割透孔５が形成されており、さらにその分割透孔５の間隙には、複数の小透孔６が形成されている。
【００１３】
この分割管４は、低密度ポリエチレン樹脂、軟質ポリ塩化ビニル樹脂などの、比較的柔軟で且つ強靭性を有する材料よりなるのが好ましく、それ自体の強度で元管路１内に引き込むことができる。
【００１４】
本発明における既設の元管路１を分割する方法は、既設の元管路１に対して既知の方法により内張り材３を貼着して内張りし、然る後に当該内張り材３内に、前記分割管４をウィンチなどで引き込んで挿通し、元管路１を複数の分割透孔５に分割する。
【００１５】
本発明においては、前記分割管４に分割透孔５が形成されていると共に、分割透孔５の間隙に小透孔６が形成されているため、分割透孔５の間の部分の肉厚が薄くなって屈曲性に富み、元管路１に多少の屈曲があったような場合においても、分割管４の引き込み作業を比較的容易に行うことができる。そしてその引き込まれた分割管４はその屈曲に沿うことができ、またそれにより分割透孔５の形状が崩れることがない。
【００１６】
分割管４における分割透孔５は、それ自体が元管路１内の空間を複数に分割した新たな小口径の管路であって、管路の目的に従って、水やガスなどの流体を通すことができ、また電力線や通信線などを挿通して敷設することができる。
【００１７】
また各分割透孔５に電力線や通信線を挿通して敷設する場合には、これらの複数のケーブルを元管路１内に均等に配置した状態で敷設することができ、また敷設された複数の分割透孔５を、それぞれ異る目的に使用することもできる。
【００１８】
また小透孔６は、分割管４の素材を節約すると共に、分割管４に可撓性を付与するものであるが、それも管路の目的に従って使用することも可能である。例えば少芯数の光通信ケーブルなどの比較的細い通信ケーブルの敷設に使用することができる。
【００１９】
図２は本発明の分割管４の他の例であって、図１の例よりも小透孔６の数が少ない。元管路１の屈曲がほとんどない場合には、分割管４の屈曲性もあまり要求されないので、図２のように構造の簡単なものが適している。
【００２０】
また図３は本発明の分割管４のさらに他の例であって、薄肉管７の内部が長さ方向に延びる隔壁８で複数の室に区切られており、その室の一部が分割透孔５を形成し、他の小さい室が小透孔６を形成している。
【００２１】
図４は本発明の分割管４のさらに他の例であって、図３の例と同様に薄肉管７の内部が長さ方向に延びる隔壁８で複数の室に区切られて、分割透孔５及び小透孔６が形成されており、分割透孔５及び小透孔６の断面形状が円に近くなるように、薄肉管７の内面が曲面に形成されている。
【００２２】
なお、以上の例においては、分割管４における複数（図面においては３つ）の分割透孔５は、いずれも同じ形状で同じ口径であるが、これに限定されるものではなく、大きさや形状の異る複数の分割透孔５を組み合わせて形成することも可能である。
【図面の簡単な説明】
【００２３】
【図１】本発明の分割管路の横断面図
【図２】本発明の分割管の他の例を示す横断面図
【図３】本発明の分割管のさらに他の例を示す横断面図
【図４】本発明の分割管のさらに他の例を示す横断面図
【符号の説明】
【００２４】
１  元管路
２  管路本体
３  内張り材
４  分割管
５  分割透孔
６  小透孔
【図１】
2005160174.tif 000003
【図２】
2005160174.tif 000004
【図３】
2005160174.tif 000005
【図４】
2005160174.tif 000006